(57)【要約】【課題】  ドラム状コアの下側の鍔の底面に金属板端子を取り付け、ドラム状コアに巻回された巻線の両端を金属板端子に接続したものは、部品点数と作業工数が増大し、製造コストが上昇する。また、ドラム状コアの下側の鍔の底面に電極を印刷して端子を形成し、ドラム状コアに巻回された巻線の両端を端子に接続したものは、電極の材料が高価なため製造コストが上昇する。さらに、ドラム状コアの下鍔を上鍔よりも大きくしてドラム状コアに巻回された巻線の両端を下鍔にからげて端子としたものは同じ大きさのものよりも特性が劣化する。【解決手段】  ドラム状コアに巻線を巻回してコイルが形成される。ドラム状コアは、巻軸と、巻軸の両端に形成された鍔を備える。巻軸の一方の端に形成された鍔には等間隔に４つの切欠きを形成する。また、巻線は、ドラム状コアの巻軸に巻回され、それぞれ端部をドラム状コアの鍔の２つの切欠き間に巻きつけて端子とする。【選択図】  図１
2013012638.tif 000002
【特許請求の範囲】
【請求項１】
ドラム状コアに巻線を巻回してコイルが形成された表面実装型電子部品において、
該ドラム状コアは、巻軸と、該巻軸の両端に形成された鍔を備え、該巻軸の一方の端に形成された鍔に４つの切欠きを形成し、
該巻線は、該ドラム状コアの巻軸に巻回され、それぞれ端部を該ドラム状コアの鍔の２つの切欠き間に巻きつけて端子としたことを特徴とする表面実装型電子部品。
【請求項２】
前記巻線のそれぞれの端部が前記ドラム状コアの鍔の２つの切欠き間に複数回巻回された請求項１に記載の表面実装型電子部品。
【請求項３】
前記巻線のそれぞれの端部は平面部分が形成された請求項１又は請求項２に記載の表面実装型電子部品。
【発明の詳細な説明】
【技術分野】
【０００１】
本発明は、ドラム状コアに巻線を巻回してコイルが形成された表面実装型電子部品に関するものである。
【背景技術】
【０００２】
従来の表面実装型電子部品に、図６に示す様に、巻軸の両端に鍔を形成したドラム状コア６１の下側の鍔の底面に金属板端子６３Ａ、６３Ｂを取り付け、このドラム状コア６１の巻軸に巻線６２を巻回し、巻線６２の端部６２Ａ、６２Ｂをそれぞれ金属板端子６３Ａ、６３Ｂに接続したものがある（例えば、特許文献１を参照。）。
【０００３】
また、別の従来の表面実装型電子部品に、図７に示す様に、巻軸の両端に鍔を形成したドラム状コア７１の下側の鍔の底面に電極７３Ａ、７３Ｂを印刷して端子を形成し、このドラム状コア７１の巻軸に巻線７２を巻回し、巻線７２の端部７２Ａ、７２Ｂをそれぞれ電極７３Ａ、７３Ｂに接続したものがある（例えば、特許文献２を参照。）。
【０００４】
しかしながら、図６に示す様な従来の表面実装型電子部品は、ドラム状コアの下側の鍔の底面に金属板端子を取り付ける必要があるため、部品点数と作業工数が増大し、製造コストが上昇するという問題があった。また、図７に示す様な従来の表面実装型電子部品は、ドラム状コアの下側の鍔の底面に、銀等の高価な導電材料を印刷して電極を形成する必要があるため、その分製造コストが上昇する。
【先行技術文献】
【特許文献】
【０００５】
【特許文献１】特開2001-332431号公報
【特許文献２】特開2011-14730号公報
【発明の概要】
【発明が解決しようとする課題】
【０００６】
これらの問題を解決するために、図８に示す様に、巻軸の両端に鍔を形成したドラム状コア８１の下側の鍔８１Ｂの大きさを上側の鍔８１Ａよりも大きく形成し、このドラム状コア８１の巻軸に巻線８２を巻回し、巻線８２の端部８２Ａ、８２Ｂを下側の鍔８１Ｂの突出した部分にからげ、このドラム状コア８１の下側の鍔８１Ｂの突出した部分にからげられた巻線８２の端部８２Ａ、８２Ｂを端子として用いることが行われている。
しかし、この様な従来の表面実装型電子部品は、ドラム状コアの上側の鍔と下側の鍔の大きさを変える必要があるためにドラム状コアが高価になると共に、巻線の両端をからげる部分の分巻線を巻くスペースが少なくなり、同じ大きさの表面実装型電子部品よりも特性が劣化するという問題があった。
【０００７】
本発明は、形状を大きくすることなく、部品点数、作業工数を低減し、製造コストを下げることができる表面実装型電子部品を提供することを目的とする。
【課題を解決するための手段】
【０００８】
本発明は、ドラム状コアに巻線を巻回してコイルが形成された表面実装型電子部品において、ドラム状コアは、巻軸と、巻軸の両端に形成された鍔を備え、巻軸の一方の端に形成された鍔に４つの切欠きを形成し、巻線は、ドラム状コアの巻軸に巻回され、それぞれ端部をドラム状コアの鍔の２つの切欠き間に巻きつけて端子とする。
【発明の効果】
【０００９】
本発明の表面実装型電子部品は、ドラム状コアが巻軸と、巻軸の両端に形成された鍔を備え、巻軸の一方の端に形成された鍔に４つの切欠きを形成し、巻線がドラム状コアの巻軸に巻回され、この巻線の端部をドラム状コアの鍔の２つの切欠き間に巻きつけて端子としているので、形状を大きくすることなく、部品点数、作業工数を低減し、製造コストを下げることができると共に、特性が劣化するのを防止できる。
【図面の簡単な説明】
【００１０】
【図１】本発明の表面実装型電子部品の第１の実施例を示す斜視図である。
【図２】本発明の表面実装型電子部品の第１の実施例のドラム状コアを示す斜視図である。
【図３】本発明の表面実装型電子部品の第２の実施例を示す斜視図である。
【図４】本発明の表面実装型電子部品の第３の実施例を示す斜視図である。
【図５】本発明の表面実装型電子部品の別のドラム状コアを示す斜視図である。
【図６】従来の表面実装型電子部品の斜視図である。
【図７】従来の別の表面実装型電子部品の斜視図である。
【図８】従来のさらに別の表面実装型電子部品の斜視図である。
【発明を実施するための形態】
【００１１】
本発明の表面実装型電子部品は、巻軸と、巻軸の両端に形成された鍔を備え、巻軸の一方の端に形成された下側の鍔に４つの切欠きを形成したドラム状コアが用いられ、このドラム状コアの巻軸に巻線を巻回してコイルが形成される。ドラム状コアの下側の鍔は、上側の鍔から突出しない様に形成される。また、巻線の両端は、ドラム状コアの鍔の２つの切欠き間にそれぞれ巻き付けられて端子として使用される。
【実施例】
【００１２】
以下、本発明の表面実装型電子部品の実施例を図１乃至図５を参照して説明する。
図１は本発明の表面実装型電子部品の第１の実施例を示す斜視図、図２は本発明の表面実装型電子部品の第１の実施例のドラム状コアを示す斜視図である。図１、図２において、１１はドラム状コア、１２は巻線である。
ドラム状コア１１は、フェライト等の磁性体を用いて、巻軸１１Ｃと、この巻軸１１Ｃの両端に形成された鍔１１Ａと鍔１１Ｂを備えた、いわゆる、ドラム状に形成される。このドラム状コア１１は、巻軸１１Ｃが実装基板と垂直になる様に用いられる。巻軸１１Ｃの一方の端に形成された上側の鍔１１Ａと、巻軸１１Ｃの他方の端に形成された下側の鍔１１Ｂは、それぞれ多角形の板状に形成され、下側の鍔１１Ｂの側面が上側の鍔１１Ａの側面よりも突出しない様に、同じ大きさに形成される。下側の鍔１１Ｂには、その側面に等間隔に４つの切欠きが形成される。このドラム状コア１１の巻軸１１Ｃには、巻線１２が巻回される。
巻線１２は、銅等の導電性を有する線材に絶縁被覆が施されたものが用いられ、中央部分がドラム状コア１１の巻軸１１Ｃに巻回され、引き出された一方の端部１２Ａを絶縁被覆が除去された状態でドラム状コア１１の下側の鍔１１Ｂの切欠き１１Ｂ２と切欠き１１Ｂ３間に巻き付け、引き出された他方の端部１２Ｂを絶縁被覆が除去された状態でドラム状コア１１の下側の鍔１１Ｂの切欠き１１Ｂ１と図示されていない残りの１つの切欠き間に巻き付ける。この下側の鍔１１Ｂの切欠き１１Ｂ２と切欠き１１Ｂ３間に巻き付けられた端部１２Ａと下側の鍔１１Ｂの切欠き１１Ｂ１と残りの切欠き間に巻き付けられた端部１２Ｂは、予備半田が施されて端子として用いられる。
【００１３】
図３は本発明の表面実装型電子部品の第２の実施例を示す斜視図である。
ドラム状コア３１は、巻軸と、この巻軸の両端に形成された鍔３１Ａと鍔３１Ｂを備える。このドラム状コア３１は、巻軸の一方の端に形成された上側の鍔３１Ａと、巻軸の他方の端に形成された下側の鍔３１Ｂがそれぞれ多角形の板状に形成され、下側の鍔３１Ｂの側面が上側の鍔３１Ａの側面よりも突出しない様に、上側の鍔３１Ａと下側の鍔３１Ｂが同じ大きさに形成される。下側の鍔３１Ｂには、その側面に等間隔に４つの切欠きが形成される。このドラム状コア３１の巻軸には巻線３２が巻回される。
巻線３２は、銅等の導電性を有する線材に絶縁被覆が施されたものが用いられ、中央部分がドラム状コア３１の巻軸に巻回され、引き出された一方の端部３２Ａがドラム状コア３１の下側の鍔３１Ｂの切欠き３１Ｂ２と切欠き３１Ｂ３間に複数回巻回され、引き出された他方の端部３２Ｂがドラム状コア３１の下側の鍔３１Ｂの切欠き３１Ｂ１と図示されていない残りの１つの切欠き間に巻回される。この下側の鍔３１Ｂの切欠き３１Ｂ２と切欠き３１Ｂ３間に巻回された端部３２Ａと下側の鍔３１Ｂの切欠き３１Ｂ１と残りの切欠き間に巻回された端部３２Ｂは、予備半田の際の熱により絶縁被覆が除去されると共に、予備半田が施こされ、端子として用いられる。
【００１４】
図４は本発明の表面実装型電子部品の第３の実施例を示す斜視図である。
ドラム状コア４１は、巻軸と、この巻軸の両端に形成された鍔４１Ａと鍔４１Ｂを備える。このドラム状コア４１は、下側の鍔４１Ｂの側面が上側の鍔４１Ａの側面よりも突出しない様に、上側の鍔４１Ａと下側の鍔４１Ｂが同じ大きさに形成される。下側の鍔４１Ｂには、その側面に等間隔に４つの切欠きが形成される。このドラム状コア４１の巻軸には巻線４２が巻回される。
巻線４２は、銅等の導電性を有する線材に絶縁被覆が施されたものが用いられ、中央部分がドラム状コア４１の巻軸に巻回され、引き出された一方の端部４２Ａが偏平に押し潰されると共に絶縁被覆が除去された状態でドラム状コア４１の下側の鍔４１Ｂの切欠き４１Ｂ２と切欠き４１Ｂ３間に巻き付けられ、引き出された他方の端部４２Ｂが偏平に押し潰されると共に絶縁被覆が除去された状態でドラム状コア４１の下側の鍔４１Ｂの切欠き４１Ｂ１と図示されていない残りの１つの切欠き間に巻き付けられる。この下側の鍔４１Ｂの切欠き４１Ｂ２と切欠き４１Ｂ３間に巻回された端部４２Ａと下側の鍔４１Ｂの切欠き４１Ｂ１と残りの切欠き間に巻回された端部４２Ｂは、予備半田が施こされ、端子として用いられる。
【００１５】
以上、本発明の表面実装型電子部品の実施例を述べたが、本発明はこの実施例に限られるものではない。例えば、ドラム状コアは、図５に示す様に、巻軸５１Ｃの両端に円板状の鍔５１Ａと鍔５１Ｂを形成し、下側の鍔５１Ｂの側面が上側の鍔５１Ａの側面よりも突出しない様に同じ大きさに形成され、下側の鍔５１Ｂの側面に等間隔に４つの切欠き５１Ｂ１、５１Ｂ２、５１Ｂ３を形成したものを用いてもよい。また、第１の実施例と第３の実施例において、ドラム状コアの下側の鍔の２つの切欠き間にそれぞれ巻き付けられた巻線の両端部はさらに接着剤を用いてより強固に固定されてもよい。
【符号の説明】
【００１６】
１１  ドラム状コア
１２  巻線
【図１】
2013012638.tif 000003
【図２】
2013012638.tif 000004
【図３】
2013012638.tif 000005
【図４】
2013012638.tif 000006
【図５】
2013012638.tif 000007
【図６】
2013012638.tif 000008
【図７】
2013012638.tif 000009
【図８】
2013012638.tif 000010